(57)【要約】【課題】揺動に伴うカチカチという騒音の発生を低減した角度調整金具を提供する。【解決手段】第１部材１と、ギア部４を有する第２部材２とを、揺動可能に枢結し、ギア部４に噛合可能な歯面７を有する浮動くさび部材６を具備し、第１部材１に対して第２部材２の一方向Ａへの相対的揺動を可能とし、他方向Ｂへの相対的揺動を規制する角度調整金具である。特に、一方向Ａへの揺動の際に、浮動くさび部材６の歯面７とギア部４とを非接触に遊離して保持する非接触遊離保持手段１０を備えている。【選択図】図２
2016154844.tif 000002
【特許請求の範囲】
【請求項１】
第１部材（１）と、ギア部（４）を有する第２部材（２）と、を揺動可能に枢結し、上記ギア部（４）に噛合可能な歯面（７）を有する浮動くさび部材（６）を具備し、上記第１部材（１）に対する上記第２部材（２）の一方向（Ａ）への相対的揺動を可能とし、他方向（Ｂ）への相対的揺動を規制する角度調整金具に於て、
上記一方向（Ａ）への揺動の際に、上記浮動くさび部材（６）の上記歯面（７）と上記ギア部（４）とを非接触に遊離して保持する非接触遊離保持手段（１０）を備えたことを特徴とする角度調整金具（３）。
【請求項２】
上記非接触遊離保持手段（１０）は、上記第２部材（２）との連れ廻り摩擦力によって小角度の範囲で回動するくさび作動部材（１１）を備え、
上記第１部材（１）に対する上記第２部材（２）の上記一方向（Ａ）への揺動によって、上記くさび作動部材（１１）が上記浮動くさび部材（６）の上記歯面（７）を上記ギア部（４）から非接触に遊離して非接触遊離状態とし、
さらに、上記他方向（Ｂ）への上記小角度の揺動によって、上記第１部材（１）側に形成されたくさび面（８）と上記ギア部（４）との間に上記浮動くさび部材（６）を押し込んで、該浮動くさび部材（６）の上記歯面（７）と上記ギア部（４）とを噛合状態とし、該浮動くさび部材（６）のくさび作用により、上記第１部材（１）に対する上記第２部材（２）の上記他方向（Ｂ）への相対的揺動を規制するように構成された請求項１に記載の角度調整金具（３）。
【請求項３】
上記非接触遊離保持手段（８０）は、上記第２部材（６０）との連れ廻り摩擦力によって小角度の範囲で回動するくさび作動部材（８１）を備え、
上記第１部材（５０）に対する上記第２部材（６０）の上記一方向（Ａ）への揺動によって、上記くさび作動部材（８１）が上記浮動くさび部材（７０）の上記歯面（７２）を上記ギア部（６６）から非接触に遊離して非接触遊離状態とし、
さらに、上記他方向（Ｂ）への上記小角度の揺動によって、上記第１部材（５０）側に形成されたくさび面（５８ａ）と上記ギア部（６６）との間に上記浮動くさび部材（７０）を押し込んで、該浮動くさび部材（７０）の上記歯面（７２）と上記ギア部（６６）とを噛合状態とし、該浮動くさび部材（７０）のくさび作用により、上記第１部材（５０）に対する上記第２部材（６０）の上記他方向（Ｂ）への相対的揺動を規制するように構成された請求項１に記載の角度調整金具（３）。
【請求項４】
上記くさび作動部材（１１，８１）は、上記第２部材（２，６０）に摺接して上記連れ廻り摩擦力を発生させる摺接部（１２，８５）を有している請求項２または３に記載の角度調整金具（３）。
【請求項５】
背部（４６）の上縁に、請求項１ないし４のいずれか１項に記載の角度調整金具（３）を介してヘッドレスト部（４８）を取付けて、該ヘッドレスト部（４８）の起立方向（Ａ）への揺動を可能としつつ、傾倒方向（Ｂ）への揺動を規制可能としたソファーに於て、
上記角度調整金具（３）が、ギア部（３４）と、該ギア部（３４）に噛合可能な歯面（３７）を有する規制用小ギア部材（３６）とを具備し、上記ヘッドレスト部（４８）が上記起立方向（Ａ）に揺動する際には、上記角度調整金具（３）の上記ギア部（３４）と上記歯面（３７）を非接触遊離状態に保持する一方、上記傾倒方向（Ｂ）への所定小角度の引返し操作によって、上記角度調整金具（３）の上記ギア部（３４）と上記歯面（３７）とを噛合状態とし、上記ヘッドレスト部（４８）の姿勢を保持するように構成されたことを特徴とするソファー。
【発明の詳細な説明】
【技術分野】
【０００１】
本発明は、角度調整金具及びソファーに関する。
【背景技術】
【０００２】
従来、第１部材・第２部材を一方向へ相対的揺動可能としつつ、浮動くさび部材のくさび作用により、第１部材・第２部材の他方向への相対的揺動を規制する角度調整金具が提案されてきた（特許文献１参照）。
【先行技術文献】
【特許文献】
【０００３】
【特許文献１】特許第５５１４７５３号公報
【発明の概要】
【発明が解決しようとする課題】
【０００４】
しかし、特許文献１記載の角度調整金具は、浮動くさび部材が、弾発板ばね部材の弾発付勢力によって常時ギア部に押し付けられていた。このため、第１部材に対して第２部材を一方向に揺動させる場合に、浮動くさび部材がギア部を乗り越えるとき、浮動くさび部材の歯面がギア部に衝突し、カチカチという騒音が発生していた。
例えば、本願の図１０に示すソファーは、背部４６の上縁にヘッドレスト部４８が角度調整金具３によって取付けられている。そして、ヘッドレスト部４８の傾斜角度を調整する場合、座部４７に座る人の耳元で、角度調整金具３からカチカチという騒音が鳴ると、耳障りであるという欠点があった。
また、座椅子や（折畳み式）ベッド等であっても同様である。起立・傾倒作動を行う背部，ヘッドレスト部，傾動床部等の傾斜角度を調整する場合に、これらを揺動可能に枢支する角度調整金具から、カチカチ等の騒音が発生すると、耳障りであるといった問題もあった。
【０００５】
そこで、本発明は、揺動操作する際に、カチカチという騒音の発生を低減した角度調整金具を提供することを目的とする。
また、座部に座る人の耳元で耳障りな騒音を発生することなく、ヘッドレスト部の角度調整を行えるソファーを提供することを他の目的とする。
【課題を解決するための手段】
【０００６】
本発明に係る角度調整金具は、第１部材と、ギア部を有する第２部材と、を揺動可能に枢結し、上記ギア部に噛合可能な歯面を有する浮動くさび部材を具備し、上記第１部材に対する上記第２部材の一方向（Ａ）への相対的揺動を可能とし、他方向（Ｂ）への相対的揺動を規制する角度調整金具に於て、
上記一方向（Ａ）への揺動の際に、上記浮動くさび部材の上記歯面と上記ギア部とを非接触に遊離して保持する非接触遊離保持手段を備えたものである。
【０００７】
また、上記非接触遊離保持手段は、上記第２部材との連れ廻り摩擦力によって小角度の範囲で回動するくさび作動部材を備え、
上記第１部材に対する上記第２部材の上記一方向（Ａ）への揺動によって、上記くさび作動部材が上記浮動くさび部材の上記歯面を上記ギア部から非接触に遊離して非接触遊離状態とし、
さらに、上記他方向（Ｂ）への上記小角度の揺動によって、上記第１部材側に形成されたくさび面と上記ギア部との間に上記浮動くさび部材を押し込んで、該浮動くさび部材の上記歯面と上記ギア部とを噛合状態とし、該浮動くさび部材のくさび作用により、上記第１部材に対する上記第２部材の上記他方向（Ｂ）への相対的揺動を規制するように構成されたものである。
【０００８】
そして、上記非接触遊離保持手段は、上記第２部材との連れ廻り摩擦力によって小角度の範囲で回動するくさび作動部材を備え、
上記第１部材に対する上記第２部材の上記一方向（Ａ）への揺動によって、上記くさび作動部材が上記浮動くさび部材の上記歯面を上記ギア部から非接触に遊離して非接触遊離状態とし、
さらに、上記他方向（Ｂ）への上記小角度の揺動によって、上記第１部材側に形成されたくさび面と上記ギア部との間に上記浮動くさび部材を押し込んで、該浮動くさび部材の上記歯面と上記ギア部とを噛合状態とし、該浮動くさび部材のくさび作用により、上記第１部材に対する上記第２部材の上記他方向（Ｂ）への相対的揺動を規制するように構成されたものであってもよい。
【０００９】
さらに、上記くさび作動部材は、上記第２部材に摺接して上記連れ廻り摩擦力を発生させる摺接部を有しているものである。
【００１０】
また、本発明に係るソファーは、背部の上縁に、前述の角度調整金具を介してヘッドレスト部を取付けて、該ヘッドレスト部の起立方向（Ａ）への揺動を可能としつつ、傾倒方向（Ｂ）への揺動を規制可能としたソファーに於て、
上記角度調整金具が、ギア部と、該ギア部に噛合可能な歯面を有する規制用小ギア部材とを、具備し、上記ヘッドレスト部が上記起立方向（Ａ）に揺動する際には、上記角度調整金具の上記ギア部と上記歯面を非接触遊離状態に保持する一方、上記傾倒方向（Ｂ）への所定小角度の引返し操作によって、上記角度調整金具の上記ギア部と上記歯面とを噛合状態とし、上記ヘッドレスト部の姿勢を保持するように構成されたものである。
【発明の効果】
【００１１】
本発明の角度調整金具によれば、浮動くさび部材の歯面とギア部との噛合により、滑らず確実に、所望の角度で第１部材・第２部材を静止可能である。そして、第１部材・第２部材の角度を調整する場合に、浮動くさび部材の歯面とギア部とを非接触で遊離した状態に保持でき、静粛に揺動できる。
即ち、浮動くさび部材の歯面とギア部との衝突で発生していたカチカチという騒音の発生を防止できる。
【００１２】
また、本発明のソファーによれば、座部に座る人の耳元で耳障りなカチカチという騒音の発生を防止でき、ヘッドレスト部を静かに揺動できるという効果がある。
【図面の簡単な説明】
【００１３】
【図１】本発明に係る角度調整金具の第１実施形態を示した断面側面図である。
【図２】本発明に係る角度調整金具の第１実施形態を示した断面側面図である。
【図３】本発明に係る角度調整金具の第１実施形態を示した断面側面図である。
【図４】本発明に係る角度調整金具の第１実施形態を示した断面側面図である。
【図５】本発明に係る角度調整金具の第１実施形態を示した断面側面図である。
【図６】本発明に係る角度調整金具の第１実施形態を示した断面側面図である。
【図７】くさび作動部材の拡大側面図である。
【図８】要部拡大断面側面図である。
【図９】図７のＣ−Ｃ断面図である。
【図１０】本発明のソファーを示した斜視図である。
【図１１】他のくさび作動部材の拡大側面図である。
【図１２】くさび作動部材を内面側から見た要部拡大斜視図である。
【図１３】図１１のＤ−Ｄ断面図である。
【図１４】本発明に係る角度調整金具の第２実施形態を示す斜視図である。
【図１５】第２実施形態の分解斜視図である。
【図１６】第２実施形態を異なる角度から見た分解斜視図である。
【図１７】第２実施形態に係る対面壁部の斜視図である。
【図１８】第２実施形態に係る浮動くさび部材を示す斜視図である。
【図１９】第２実施形態に係るくさび作動部材の斜視図である。
【図２０】第２実施形態に係るくさび作動部材の正面図である。
【図２１】他のくさび作動部材を示す斜視図である。
【図２２】他のくさび作動部材を示す正面図である。
【図２３】第２実施形態からカバーを外した状態を示す部分拡大斜視図である。
【図２４】図２３から対面壁部を外した状態を示す部分拡大斜視図である。
【図２５】任意の構成部品を組み付けた状態を示す正面図である。
【図２６】第２実施形態の縦断面図である。
【図２７】第２実施形態の部分横断面図である。
【図２８】第２実施形態の操作方法を説明するための断面側面図である。
【図２９】図２８に続く操作方法を説明するための断面側面図である。
【図３０】図２９に続く操作方法を説明するための断面側面図である。
【図３１】図３０に続く操作方法を説明するための断面側面図である。
【図３２】図３１に続く操作方法を説明するための断面側面図である。
【発明を実施するための形態】
【００１４】
以下、本発明に係る角度調整金具の実施形態を、添付図面に基づいて説明する。
図１に示すように、第１実施形態に係る角度調整金具３は、第１部材１と、ギア部４を有する第２部材２と、ギア部４に噛合可能な歯面７を有する浮動くさび部材６と、を配設している。そして、第１部材１と第２部材２とは、枢結軸２４によって軸心Ｌを中心として揺動可能に組み付けられている。
【００１５】
本発明に係る角度調整金具３は、ソファー、座椅子、（折畳み式）ベッド等に適用可能である。より具体的には、起立・傾倒作動を行うヘッドレスト部、背部、傾動床部等の揺動自在な枢支部に適用可能である。
【００１６】
浮動くさび部材６は、一面側が歯面７とされ、他面側が当接面９とされている。上記当接面９は、第１部材１側に形成されたくさび面８に当接する。そして、図１に示すように、浮動くさび部材６は、当接面９がくさび面８に当接し、かつ、歯面７とギア部と４が噛合する場合に、くさび作用により、第１部材１に対して第２部材２が図中矢印Ｂ方向へ揺動することを阻止する。
【００１７】
第１部材１は、一対の対面壁部１７，１７と取付部１８とを一体化したものである。対面壁部１７，１７には、枢結軸２４が挿通されているとともに、くさび形窓部５が形成されている。くさび形窓部５は、円弧状のくさび面８を有し、浮動くさび部材６をギア部４から離間させた状態で収納するための退避空間１５を有している。くさび形窓部５は、くさび面８がギア部４に次第に接近するように形成されている。このため、くさび面８とギア部４の外周歯面とによって、図１の側面視で時計回り方向に縮小するくさび形空間が形成され、このくさび形空間に浮動くさび部材６が移動自在に配設されている。
【００１８】
第２部材２は、２枚のギア板部４５，４５と、取付部１９とを、一体化したものである。そして、相互に平行に配置した２枚のギア部４，４は、第１部材１の対面壁部１７，１７の間に装入される。ギア板部４５，４５の円弧状外周縁部に、例えば、中心角が１００°〜１２０°を成す範囲にわたって形成されている。図例では、浮動くさび部材６の歯面７に５本〜６本の歯が形成されている。そして、上記歯面７とギア部４とは左右幅方向の２箇所で噛合しているとともに、歯面７の全ての歯がギア部４に同時に噛合している。ギア部４の始端部・終端部には、突起部１４，１４が配設されている。ギア板部４５，４５には、枢結軸２４が挿通されている。なお、浮動くさび部材６の歯面７には、１３本〜２０本の歯が形成されていても良い。また、ギア部４には、４０本以上の歯、より好ましくは４５本〜６５本の歯が形成されていても良い。これにより、角度調整段数は４０段以上とすることができる。
【００１９】
図２に示すように、第１部材１に対して第２部材２を図中矢印Ａ方向へ（相対的に）揺動することができる。そして、第２部材２をＡ方向に揺動する際に、浮動くさび部材６をギア部４から非接触に遊離して保持するための非接触遊離保持手段１０を設けてある。
【００２０】
非接触遊離保持手段１０は、第２部材２との連れ廻り摩擦力によって、軸心Ｌ廻りに小角度の範囲で回動するくさび作動部材（作動プレート）１１を備えている。
くさび作動部材１１は、枢結軸２４が挿通される孔部２１を有している。そして、くさび作動部材１１は、ギア板部４５，４５の間に装入された状態で、第１部材１，第２部材２に枢結軸２４を介して一体に枢結されている。
図７に示すように、くさび作動部材１１には、浮動くさび部材６を移動自在に保持する開口窓部２０が形成されている。開口窓部２０は、孔部２１の中心点（軸心Ｌ）から見て外側に円弧面２２を有するとともに、円弧面２２の一端縁と鋭角φを成すテーパー面２３を有している。くさび作動部材１１の外側面には、凹部２５が形成されている。
【００２１】
図１〜図６に於て、第１部材１とくさび作動部材１１との間に板ばね部材１６が介設されている。板ばね部材１６は、長手方向中間部に凸部１３を有し、長手方向両端部が第１部材１に支持されている。板ばね部材１６は、凸部１３がくさび作動部材１１の凹部２５に対応するように配設されている。このため、図１および図２に示すように、凸部１３が凹部２５に摺接しつつ、くさび作動部材１１と第２部材２とが連れ廻り摩擦力によって一緒に回動する。一方、図４および図５に示すように、凸部１３が凹部２５から離脱するとともに、くさび作動部材１１の外側面に圧接した状態では、くさび作動部材１１と第２部材２とが連れ廻り摩擦力によって一緒に回動しない。
【００２２】
図７および図９に示すように、くさび作動部材１１は、第２部材２に摺接して連れ廻り摩擦力を発生させる摺接部１２を有している。
くさび作動部材１１は、一対の側壁部２７，２７が連結部２８によって連結されている。摺接部１２は、くさび作動部材１１の側壁部２７，２７の一部を外方に突出（膨出）させている。摺接部１２は、孔部２１の周囲に複数個配設されている。摺接部１２は、くさび作動部材１１の側壁部２７，２７をコ字状に切欠いて舌片２９を形成し、この舌片２９を板ばね状に曲げ起こして形成されている（図９）。また、平行な一対のスリットを形成して、スリットの内側を三角山状に隆起させても良い（図示省略）。くさび作動部材１１は、複数の摺接部１２が、第２部材２のギア板部４５，４５の内面に圧接して連れ廻り摩擦力を発生させる。この連れ廻り摩擦力により、第２部材２とくさび作動部材１１とが共廻りする。
【００２３】
図１１ないし図１３に示すように、くさび作動部材１１には、孔部２１の周縁部に波状内環部３１と波状外環部３２とを設けても良い。
図１２および図１３に示すように、波状外環部３２は、側壁部２７との連結残部３０を残して断続的な（複数の）円弧状スリット３５を設け、ついで、円弧状スリット３５の内側を湾曲させることにより、複数の隆起部３３を形成してある。波状内環部３１は、隆起部３３との連結部３８を残して断続的な（複数の）円弧状スリット３９を設け、ついで、円弧状スリット３９の内側を凸状に盛り上げ、外方に突出させることにより、複数の摺接部１２を形成してある。波状内環部３１と波状外環部３２とは、弾性変形が可能である。このため、摺接部１２が弾性変形し、第２部材２のギア板部４５，４５の内面に圧接し、適度な連れ廻り摩擦力を発生させる。この結果、くさび作動部材１１と第２部材２とは連れ廻り摩擦力によって共廻りする。
【００２４】
上述した本発明の角度調整金具の使用方法（作用）について説明する。
図１から図２に示すように、第１部材１に対して第２部材２を矢印Ａ方向へ揺動させる折畳み操作Ｍ０を行う。これにより、くさび作動部材１１と第２部材２とが連れ廻り摩擦力によって（図の反時計回りに）共廻りする。このため、浮動くさび部材６は、くさび作動部材１１のテーパー面２３に上端面を押される。この結果、浮動くさび部材６は、くさび形窓部５（くさび形空間）内で下方へ移動しながら、くさび形窓部５の誘導勾配面２６に摺接し、ギア部４から離反する方向へ小さく移動する。浮動くさび部材６は、くさび形窓部５（くさび形空間）の下部でくさび面８寄りに配設される。このため、歯面７とギア部４との間に僅かな隙間が生じ、非接触遊離状態となる（図８参照）。非接触遊離状態では、浮動くさび部材６とギア部４とは当接せず、音を発生することなく、静粛に第２部材２が一方向Ａに揺動する。浮動くさび部材６は、くさび作動部材１１のテーパー面２３と、くさび形窓部５の誘導勾配面２６と、くさび面８とによって形成される略扇形の空間に保持される。そして、くさび作動部材１１と第２部材２との間に連れ廻り摩擦力が発生している限り、浮動くさび部材６が上方からくさび作動部材１１に押圧され、浮動くさび部材６とギア部４とは噛合しない。
つまり、折畳み操作Ｍ０をしている間は、浮動くさび部材６をガタつかせることなく保持し、浮動くさび部材６の歯面７とギア部４とは非接触遊離状態に保たれる。
【００２５】
次に、図３に示すように、折畳み操作Ｍ０の途中で、第１部材１に対して第２部材２を矢印Ｂ方向へ揺動させるべく引返し操作Ｍ１を行うと、くさび作動部材１１と第２部材２とが連れ廻り摩擦力によって（図の時計回りに）共廻りする。くさび作動部材１１は、浮動くさび部材６の下端面を下方から押し上げて、浮動くさび部材６をくさび形窓部５（くさび形空間）の上部へ移動させる。このため、浮動くさび部材６の歯面７とギア部４とが噛合状態となる。浮動くさび部材６は、くさび面８とギア部４との間の次第に狭くなる空間に押し込まれ、くさび作用により、第２部材２のＢ方向への揺動を規制する。この結果、第１部材１と第２部材２との傾斜角度は維持（固定保持）される。
図３に示す噛合状態では、浮動くさび部材６の歯面７とギア部４との噛合により、滑ることなく確実に第１部材１と第２部材２との傾斜角度を停止保持する。
【００２６】
そして、図４に示すように、折畳み操作Ｍ０によって第２部材２をさらにＡ方向に揺動させ、起立状の最終折畳位置Ｐ０とする。これにより、一方の突起部１４が浮動くさび部材６の上端面を押圧し、くさび形窓部５（くさび形空間）の下部の退避空間１５に浮動くさび部材６を移動させる。この際、くさび作動部材１１は、浮動くさび部材６の下端面に押され、図２の非接触遊離状態から（図の反時計回りに）さらに回動する。これを退避状態と呼ぶ。退避状態下では、浮動くさび部材６が退避空間１５に収納され、かつ、くさび作動部材１１が板ばね部材１６の凸部１３に係止している。従って、第２部材２をＢ方向へ揺動しても、くさび作動部材１１は板ばね部材１６の凸部１３に係止しているので、第２部材２とくさび作動部材１１とは共廻りしない。このため、ギア部４と歯面７との噛合が解除された状態を保ち、第１部材１に対して第２部材２はＢ方向への揺動が可能となる。
【００２７】
次に、図５に示すように、展開操作Ｍ２によって第２部材２をＢ方向へ揺動すると、第１部材１に対して第２部材２が直線状となる最終展開位置Ｐ１（図６参照）の直前で、他方の突起部１４が浮動くさび部材６の下端面に当接する。
そして、図５および図６に示すように、第２部材２を少し強くＢ方向へ押すと、突起部１４が浮動くさび部材６の下端面を押圧するので、退避空間１５から上方へ浮動くさび部材６が移動する。この際、浮動くさび部材６の移動に伴って、浮動くさび部材６の上端面がくさび作動部材１１のテーパー面２３を押し上げるので、くさび作動部材１１が図の時計回りに回動する。くさび作動部材１１は、板ばね部材１６との係止状態が解除され、第２部材２との摩擦力によって共廻りする。このため、浮動くさび部材６がくさび形窓部５（くさび形空間）の上部へ移動し、浮動くさび部材６の歯面７とギア部４とが噛合状態となる。
【００２８】
図１０に示すように、背部４６の上縁に角度調整金具３を介してヘッドレスト部４８を取付けてある。このため、上記角度調整金具３は、ヘッドレスト部４８の起立方向Ａへの揺動を可能としつつ、傾倒方向Ｂへの揺動を規制するソファーに使用するのに好適である。
図８に示すように、角度調整金具３が、ギア部３４と、ギア部３４に噛合可能な歯面３７を有する規制用小ギア部材３６（浮動くさび部材６）とを、具備している。
図１０に於て、ヘッドレスト部４８が起立方向Ａに揺動する際には、角度調整金具３のギア部３４と歯面３７とが非接触遊離状態に保持される。そして、ヘッドレスト部４８に傾倒方向Ｂへの所定小角度の引返し操作を行うことにより、角度調整金具３のギア部３４と歯面３７とが噛合状態となり、ヘッドレスト部４８の姿勢が保持される。
【００２９】
なお、本発明は、設計変更可能であって、例えば、くさび形窓部５を有さずに、代りに、浮動くさび部材６の当接面９を押圧する板片状部材等を用いることも自由である。
また、くさび作動部材１１は、開口窓部２０を有さずに、浮動くさび部材６の上端面・下端面を押圧する上下一対の当接面を有する形状であれば良く、板片状部材を用いる等、デザインや寸法比率を自由に変更可能である。
【００３０】
以上のように、本発明に係る角度調整金具は、第１部材１と、ギア部４を有する第２部材２とを、揺動可能に枢結し、ギア部４に噛合可能な歯面７を有する浮動くさび部材６を具備し、第１部材１に対する第２部材２の一方向Ａへの相対的揺動を可能とし、他方向Ｂへの相対的揺動を規制する角度調整金具３である。そして、一方向Ａへの揺動の際に浮動くさび部材６の歯面７とギア部４とを非接触に遊離して保持する非接触遊離保持手段１０を設けた。このため、浮動くさび部材６の歯面７とギア部４との噛合により、滑らず確実に、所望の角度で第１部材１・第２部材２を静止可能である。また、第１部材１・第２部材２の角度調整の際に、浮動くさび部材６の歯面７とギア部４とが非接触に遊離した非接触遊離状態に保持でき、静粛に揺動できる。即ち、従来、浮動くさび部材とギア部とが衝突することで発生していたカチカチ音の発生を防止できる。
【００３１】
また、非接触遊離保持手段１０は、第２部材２との連れ廻り摩擦力によって小角度の範囲で回動するくさび作動部材１１を備え、第１部材１に対する第２部材２の一方向Ａへの揺動によって、くさび作動部材１１が浮動くさび部材６の歯面７をギア部４から非接触に遊離して非接触遊離状態とする。さらに、他方向Ｂへの小角度の揺動によって、第１部材１側に形成されたくさび面８とギア部４との間に浮動くさび部材６を押し込んで、浮動くさび部材６の歯面７とギア部４とを噛合状態とすることにより、浮動くさび部材６のくさび作用により、第１部材１に対する第２部材２の他方向Ｂへの相対的揺動を規制する。このため、浮動くさび部材６の歯面７とギア部４との噛合により、滑らず確実に、所望の角度で第１部材１・第２部材２の姿勢を保持できる。また、第２部材２を一方向Ａへ揺動する間は、浮動くさび部材６の歯面７とギア部４とを、非接触に遊離した非接触遊離状態に確実に保持できる。
【００３２】
また、くさび作動部材１１は、第２部材２に摺接して連れ廻り摩擦力を発生させる摺接部１２を有している。このため、くさび作動部材１１と第２部材２とが確実に共廻りする。この結果、浮動くさび部材６の歯面７とギア部４とを、非接触遊離状態と噛合状態とに切換えることができる。この結果、第１部材１と第２部材２を適度な摩擦抵抗力で揺動させることができる。
【００３３】
また、本発明に係るソファーは、背部４６の上縁に角度調整金具３によってヘッドレスト部４８を取付けて、ヘッドレスト部４８の起立方向Ａへの揺動を可能としつつ、傾倒方向Ｂへの揺動を規制可能としてある。そして、角度調整金具３が、ギア部３４と、ギア部３４に噛合可能な歯面３７を有する規制用小ギア部材３６とを、具備している。このため、ヘッドレスト部４８が起立方向Ａに揺動する際には、角度調整金具３のギア部３４と歯面３７とを非接触遊離状態に保持する。そして、ヘッドレスト部４８に傾倒方向Ｂへ所定小角度の引返し操作を行うことにより、角度調整金具３のギア部３４と歯面３７とを噛合状態とし、ヘッドレスト部４８の姿勢を保持する。したがって、ヘッドレスト部４８が起立方向Ａに揺動する際に、耳元で耳障りな騒音が発生するのを防止でき、ヘッドレスト部４８を静かに揺動できる。
【００３４】
本発明に係る角度調整金具３の第２実施形態は、図１４ないし図３２に示すように、第１部材５０と、第２部材６０と、浮動くさび部材７０と、非接触遊離保持手段８０と、第１，第２カバー９０，９２と、を備え、枢結軸９４を介し、軸心Ｌを中心として揺動可能に一体化されている。
【００３５】
上記第１部材５０は、図１５および図１６に示すように、取付部５１と、上記取付部５１の一端部を挟持し、かつ、平行に対向する一対の対面壁部５２，５３と、を備えている。そして、上記取付部５１に上記対面壁部５２，５３が２本のリベット５４，５４でかしめ固定されている。
なお、固定方法は前述のかしめ固定に限らず、例えば、ボルトナットあるいは溶接で固定してもよい。また、取付部５１と対面壁部５２，５３とのいずれか一方に、突出し加工で嵌合突起を設ける一方、残る他方に嵌合孔を設けて一体化してもよい。
【００３６】
上記対面壁部５２，５３は鏡面対称に形成され、その一方側に軸孔５６を設けてあるとともに、その他方側の内向面に位置規制ピン５７を突設してある（図１７）。そして、対面壁部５２，５３は、上記軸孔５６と位置規制ピン５７との間に、くさび形窓部５８を設けてある。なお、上記位置規制ピン５７は、突出し加工で形成してもよく、別体の金属製ピンを取り付けて形成してもよい。
【００３７】
上記位置規制ピン５７は、図２７に示すように、一対の対面壁部５２，５３に、同一軸心上に位置するようにそれぞれ配置されている。そして、上記位置規制ピン５７は、後述するくさび作動部材８１の板ばね部材８３をガイドすることにより、上記くさび作動部材８１のガタツキを防止する。また、上記板ばね部材８３に係止することにより、上記くさび作動部材８１を位置規制する。
【００３８】
上記くさび形窓部５８は、図１７に示すように、円弧状のくさび面５８ａを有している。そして、上記くさび面５８ａは、後述する第２部材６０のギア部６６に次第に接近するように形成されている（図２５）。また、上記くさび形窓部５８は、浮動くさび部材７０をギア部６６から離間させた状態で収納するための退避空間５８ｂを有している。さらに、上記くさび形窓部５８は、上記退避空間５８ｂに連続する誘導勾配面５８ｃを形成してある。
そして、図２５に示すように、くさび面５８ａとギア部６６の外周歯面とによって、時計回り方向に沿って縮小するくさび形空間が形成される。上記くさび形空間内には、後述する浮動くさび部材７０が移動自在に組み込まれる。
【００３９】
上記第２部材６０は、図１５および図１６に示すように、取付部６１と、上記取付部６１の一端部を挟持し、かつ、平行に対向する一対のギア板部６２，６３と、を備えている。そして、上記取付部６１に上記ギア板部６２，６３が２本のリベット６４，６４でかしめ固定されている。なお、固定方法は前述のかしめ固定に限らず、例えば、ボルトナットあるいは溶接で固定してもよい。また、取付部６１とギア板部６２，６３とのいずれか一方に、突出し加工で嵌合突起を設ける一方、残る他方に嵌合孔を設けて一体化してもよい。
【００４０】
上記ギア板部６２，６３は、鏡面対称に形成され、枢結軸９４を挿通するための軸孔６５，６５をそれぞれ有する。また、上記ギア板部６２，６３は、その一端側の円弧状外周縁部に、例えば、中心角１００°〜１２０°の範囲でギア部６６を形成してある。さらに、上記ギア部６６の始端部には押下げ用突起部６７が設けられている。また、上記ギア部６６の終端部には押上げ用突起部６８が設けられている。
そして、第２部材６０の２枚のギア板部６２，６３は、上記第１部材５０の対面壁部５２，５３の間に装入され、後述する枢結軸９４を介して揺動可能に連結される。
【００４１】
本実施形態では、上記第１，第２部材５０，６０を３枚の構成部品でそれぞれ形成することが開示されているが、必ずしもこれに限らない。上記第１，第２部材５０，６０は、例えば、鏡面対称に形成した２枚の構成部品を重ね合わせ、溶接、カシメ固定、ボルトナット、あるいは、嵌合突起等を利用して一体化してもよい。
【００４２】
上記浮動くさび部材７０は、図１８に示すように、一面側が当接面７１とされ、他面側が歯面７２とされている。上記当接面７１は、図２８に示すように、第１部材５０側に形成されたくさび面５８ａに当接する。そして、浮動くさび部材７０は、当接面７１がくさび面５８ａに当接し、かつ、歯面７２とギア部６６とが噛合する場合に、くさび作用により、第１部材５０に対する第２部材６０の図中矢印Ｂ方向へ揺動を阻止する。
【００４３】
なお、図２４に示すように、浮動くさび部材７０の歯面７２に５本〜６本の歯が形成されている。この歯面７２とギア部６６とは、左右幅方向の２箇所で噛合し、かつ、歯面７２の全ての歯がギア部６６に同時に噛合している。
また、例えば、浮動くさび部材７０の歯面７２に１３本〜２０本の歯を形成し、ギア部６６に４０本以上の歯、より好ましくは４５本〜６５本の歯を形成してもよい。これにより、角度調整段数を４０段以上としてもよい。
【００４４】
上記非接触遊離保持手段８０は、図１５および図１６に示すように、第２部材６０との連れ廻り摩擦力によって、軸心Ｌ廻りに小角度の範囲で回動するくさび作動部材（作動プレート）８１を備えている。
【００４５】
上記くさび作動部材８１は、図１９および図２０に示すように、１枚の金属板をプレス加工で打ち抜き、折り重ねて形成されている。そして、上記くさび作動部材８１は、その中央に設けた開口窓部８２と、上記開口窓部８２の一方側に設けた一対の板ばね部材８３，８３と、上記開口窓部８２の他方側に設けた軸孔８４と、を有している。また、上記くさび作動部材８１は、ギア板部６２，６３の間に装入された状態で第２部材６０と共に揺動可能に支持されている。
【００４６】
上記開口窓部８２は、浮動くさび部材７０を移動自在に保持するためのものであり、中心点（軸心Ｌ）から見て外側に円弧面８２ａを有している。上記円弧面８２ａは、その一端縁に鋭角φを成すテーパー面８２ｂを有している。また、上記円弧面８２ａは、その他端縁に段部８２ｃを設けてある。
【００４７】
上記板ばね部材８３は、上記くさび作動部材８１の他方側縁部に沿って縦長のスリットを設け、切り残した部分を略直角にそれぞれ曲げ起こして形成されている。このため、板ばね部材８３は、長手方向の両端部がくさび作動部材８１に連結されている。
また、上記板ばね部材８３は、長手方向の中間部に外方に突出する凸部８３ａを有している。そして、上記板ばね部材８３は、上記凸部８３ａの一方側の基部に係止用凹部８３ｂを形成してある。この係止用凹部８３ｂに位置規制ピン５７が係止することにより、くさび作動部材８１が、第２部材６０との連れ廻り摩擦力によって回動しないように位置規制される。また、上記板ばね部材８３は、上記凸部８３ａの他方側にガイド用凹部８３ｃを形成してある。上記ガイド用凹部８３ｃ内に位置規制ピン５７が位置している場合は、上記位置規制ピン５７に上記板ばね部材８３がガイドされながら、くさび作動部材８１が第２部材６０と一緒に連れ廻り摩擦力によって回動する。
なお、上記位置規制ピン５７は、上記ガイド用凹部８３ｃにガイドされていればよく、常に摺接している必要はない。
また、上記板バネ部ばね８３必ずしも一対、設ける必要はなく、片側１枚であってもよい。
【００４８】
上記軸孔８４は、後述する枢結軸９４を挿通するためのものである。そして、上記軸孔８４の周縁部に摺接部として波状環部８５を設けてある。波状環部８５は複数の隆起部８５ａを有している。上記隆起部８５ａは、軸孔８４の周縁部に連結残部８５ｂを残して不連続な（複数の）円弧状スリット８５ｃを設け、ついで、上記円弧状スリット８５ｃの内側部分を板厚方向に湾曲させて形成されている。
そして、上記波状環部８５は弾性変形するので、隆起部８５ａが、第２部材６０のギア板部６２，６３の内向面に弾性的に圧接する。このため、くさび作動部材８１と第２部材６０との間に適度な連れ廻り摩擦力が発生する。この結果、上記連れ廻り摩擦力によってくさび作動部材８１と第２部材６０とが共廻りする。
【００４９】
なお、上記くさび作動部材８１は、図２１および図２２に示すように、上記波状環部８５の内周縁部に環状摺接部８６を設けておいてもよい。上記環状摺接部８６を設けることにより、上記波状環部８５が補強され、耐久性が向上するとともに、揺動動作が円滑かつ安定するという利点がある。
【００５０】
また、くさび作動部材８１は、前述の実施形態に限らず、１枚の金属板に貫通孔およびスリットを設けることにより、開口窓部８２と、上記開口窓部８２の一方側に軸孔８４と、上記開口窓部８２の他方側に板ばね部材８３と、を切削加工で形成してもよい。
【００５１】
第１，第２カバー９０，９２は、上記浮動くさび部材７０の脱落を防止するためのものである。そして、第１，第２カバー９０，９２は、上記第１部材５０の対面壁部５２，５３の外周面を被覆する正面形状を有するとともに、軸孔９１，９３をそれぞれ備えている。
【００５２】
次に、前述の構成部品の組み付け方法について説明する。
一体化した第２部材６０のギア板部６２，６３の間にくさび作動部材８１を挿入して位置決めする。そして、第１部材５０の対面壁部５２，５３の間に、上記ギア板部６２，６３およびくさび作動部材８１を挿入して位置決めする。さらに、上記対面壁部５２に第１カバー９０を位置決めした後、軸孔９１，５６，６５，８４，６５，５６に枢結軸９４を挿通して仮止めする。ついで、対面壁部５３のくさび形窓部５８から浮動くさび部材７０を開口窓部８２におよび対面壁部５２のくさび形窓部５８に挿入する。そして、第２カバー９２の軸孔９３を枢結軸９４に嵌合し、上記浮動くさび部材７０の脱落を防止する。最後に、枢結軸９４の両端をかしめることにより、前述の構成部品を連結一体化する。
【００５３】
次に、第２実施形態に係る角度調整金具３の使用方法について説明する。
図２８に示すように、第１部材５０に対して第２部材６０を矢印Ｂ方向に倒すと、浮動くさび部材７０の歯面７２とギア部６６とが噛合状態になる。また、浮動くさび部材７０は、くさび面５８ａとギア部６６との間に形成される次第に狭くなる空間に押し込まれる。このため、浮動くさび部材７０は、くさび作用により、第２部材６０のＢ方向への揺動を規制し、第１部材５０と第２部材６０との傾斜角度が維持（固定保持）される。
すなわち、図２８に示す噛合状態では、浮動くさび部材７０の歯面７２とギア部６６との噛合により、第２部材６０が滑ることなく、第１部材５０と第２部材６０との傾斜角度を確実に保持する。
【００５４】
逆に、第２部材を矢印Ａ方向に揺動させると、図２９に示すように、波状環部８５のバネ力に基づいて生じる連れ廻り摩擦力により、第２部材６０と一緒にくさび作動部材８１が共廻りを開始する。このため、浮動くさび部材７０は、くさび形窓部５８内で下方へ移動する。そして、浮動くさび部材７０の上端面がくさび作動部材８１のテーパー面８２ｂに押される。このため、浮動くさび部材７０は、くさび形窓部５８の誘導勾配面５８ｃを摺接しながら、ギア部６６から離反する方向へ小さく移動する。そして、浮動くさび部材７０はくさび形窓部５８の下部でくさび面５８ａ寄りに移動する。この結果、歯面７２とギア部６６との間に微小な隙間が生じ、浮動くさび部材７０は非接触遊離状態となる（図２９）。非接触遊離状態では、浮動くさび部材７０は、くさび形窓部５８の誘導勾配面５８ｃと、くさび作動部材８１のテーパー面８２ｂと、段部８２ｃと、の３点によって支持されている。非接触遊離状態では、浮動くさび部材７０とギア部６６とが接触することがないので、耳障りなカチカチ音が生ぜず、第２部材６０が矢印Ａ方向に静かに揺動する。また、くさび作動部材８１と第２部材６０との間に連れ廻り摩擦力が発生する間、浮動くさび部材７０はくさび作動部材８１に上方から押圧されるので、歯面７２とギア部６６とが噛み合うことはない。
すなわち、矢印Ａ方向に第２部材６０を揺動する操作を行っている間は、浮動くさび部材７０はガタツキを生じることなく保持され、浮動くさび部材７０の歯面７２とギア部６６との非接触状態を保持する。
【００５５】
図３０に示すように、第２部材６０を更に矢印Ａ方向に揺動させ、一方の押下げ用突起部６７で浮動くさび部材７０の上端面を押圧すると、くさび作動部材８１が共廻りするとともに、浮動くさび部材７０がくさび作動部材８１を押し下げる。このため、くさび作動部材８１に設けた板ばね部材８３の凸部８３ａが位置規制ピン５７を乗り越える。この結果、位置規制ピン５７が係止用凹部８３ｂに係止する。そして、浮動くさび部材７０の下端面が退避空間５８ｂに収納され、退避状態となる。
退避状態下では、浮動くさび部材７０が退避空間５８ｂ内に収納され、かつ、板ばね部材８３の係止用凹部８３ｂが位置規制ピン５７に係止している。このため、第２部材６０をＢ方向へ揺動しても、位置規制ピン５７に係止する板ばね部材８３のばね力で、ギア部６６と歯面７２とが噛合していない状態を保つ。この結果、くさび作動部材８１は共廻りせず、第１部材５０に対して第２部材６０はＢ方向に自由に揺動できる。
【００５６】
次に、図３２に示すように、第２部材６０を矢印Ｂ方向へ揺動すると、第１部材５０に対して第２部材６０が直線状となる最終展開位置の直前で、押上げ用突起部６８が浮動くさび部材７０の下端面に当接する。
そして、第２部材６０を少し強く矢印Ｂ方向へ揺動すると、押上げ用突起部６８が浮動くさび部材７０の下端面を押し上げ、退避空間５８ｂから浮動くさび部材７０を上方へ移動させる。この際、浮動くさび部材７０の移動に伴って、浮動くさび部材７０の上端面がくさび作動部材８１のテーパー面８２ｂを押し上げる。このため、くさび作動部材８１が軸心Ｌを中心として図３２の時計回りに回動する。この結果、板ばね部材８３の係止用凹部８３ｂと位置規制ピン５７との係止状態が解除され、位置規制ピン５７が板ばね部材８３のガイド用凹部８３ｃに変位する。そして、くさび作動部材８１と第２部材６０との摩擦力により、両者は共廻りする。この結果、浮動くさび部材７０がくさび形窓部５８（くさび形空間）の上部へ移動し、浮動くさび部材７０の歯面７２とギア部６６とが噛合状態となる。
【００５７】
なお、本実施形態では、第１部材５０に対して第２部材６０が直線状（１８０度）となった位置を、最終展開位置としているが、必ずしもこれに限らない。ギア部６６を設ける中心角の範囲を適宜選択することにより、例えば、第１部材５０に対して第２部材６０が１２０度の角度を形成した位置を、最終展開位置としてもよい。
【００５８】
ついで、第２部材６０を、再度、矢印Ａ方向に揺動させると、波状環部８５のバネ力に基づく連れ廻り摩擦力により、第２部材６０と一緒にくさび作動部材８１が共廻りを開始する。このため、浮動くさび部材７０は、くさび形窓部５８内で下方へ移動する。そして、浮動くさび部材７０の上端面がくさび作動部材８１のテーパー面８２ｂに押される。このため、浮動くさび部材７０は、くさび形窓部５８の誘導勾配面５８ｃを摺接しながら、ギア部６６から離反する方向へ小さく移動する。この結果、浮動くさび部材７０はくさび形窓部５８の下部でくさび面５８ａ寄りに配置されるので、歯面７２とギア部６６との間に微小な隙間が生じ、再び、浮動くさび部材７０は非接触遊離状態となる（図２９）。したがって、カチカチ音は発生しない。そして、第２部材６０を矢印Ｂ方向に揺動させると、浮動くさび部材７０の歯面７２とギア部６６とが噛合状態になる。さらに、浮動くさび部材７０は、くさび面５８ａとギア部６６との間に形成される次第に狭くなる空間に押し込まれる。このため、浮動くさび部材７０は、くさび作用により、第２部材６０のＢ方向への揺動を規制し、第１部材５０と第２部材６０との傾斜角度は維持（固定保持）され、図２８に図示された状態に戻る。
【産業上の利用可能性】
【００５９】
本発明に係る駆動調整金具は、前述の実施形態に限らず、ソファー以外の家具等に使用してもよい。
【符号の説明】
【００６０】
１  第１部材
２  第２部材
３  角度調整金具
４  ギア部
６  浮動くさび部材
７  歯面
８  くさび面
１０  非接触遊離保持手段
１１  くさび作動部材（作動プレート）
１２  摺接部
３４  ギア部
３６  規制用小ギア部材
３７  歯面
４６  背部
４８  ヘッドレスト部
５０  第１部材
５１  取付部
５２  対面壁部
５３  対面壁部
５６  軸孔
５７  位置規制ピン
５８  くさび形窓部
５８ａ  くさび面
５８ｂ  退避空間
５８  くさび形窓部
５９  誘導勾配面
６０  第２部材
６１  取付部
６２  ギア板部
６３  ギア板部
６４  リベット
６５  軸孔
６６  ギア部
６７  押下げ用突起部
６８  押上げ用突起部
７０  浮動くさび部材
７１  当接面
７２  歯面
８０  非接触遊離保持手段
８１  くさび作動部材
８２  開口窓部
８２ａ  円弧面
８２ｂ  テーパー面
８２ｃ  段部
８３  板ばね部材
８３ａ  凸部
８３ｂ  係止用凹部
８３ｃ  ガイド用凹部
８４  軸孔
８５  波状環部（摺接部）
８６  環状摺接部
９０  第１カバー
９１  軸孔
９２  第２カバー
９３  軸孔
９４  枢結軸
Ｌ  軸心
Ａ  一方向（起立方向）
Ｂ  他方向（傾倒方向）
【図１】
2016154844.tif 000003
【図２】
2016154844.tif 000004
【図３】
2016154844.tif 000005
【図４】
2016154844.tif 000006
【図５】
2016154844.tif 000007
【図６】
2016154844.tif 000008
【図７】
2016154844.tif 000009
【図８】
2016154844.tif 000010
【図９】
2016154844.tif 000011
【図１０】
2016154844.tif 000012
【図１１】
2016154844.tif 000013
【図１２】
2016154844.tif 000014
【図１３】
2016154844.tif 000015
【図１４】
2016154844.tif 000016
【図１５】
2016154844.tif 000017
【図１６】
2016154844.tif 000018
【図１７】
2016154844.tif 000019
【図１８】
2016154844.tif 000020
【図１９】
2016154844.tif 000021
【図２０】
2016154844.tif 000022
【図２１】
2016154844.tif 000023
【図２２】
2016154844.tif 000024
【図２３】
2016154844.tif 000025
【図２４】
2016154844.tif 000026
【図２５】
2016154844.tif 000027
【図２６】
2016154844.tif 000028
【図２７】
2016154844.tif 000029
【図２８】
2016154844.tif 000030
【図２９】
2016154844.tif 000031
【図３０】
2016154844.tif 000032
【図３１】
2016154844.tif 000033
【図３２】
2016154844.tif 000034